(57)【特許請求の範囲】
【請求項１】
受信したデジタルテレビジョン信号が入力されるとともに周波数変換して中間周波信号を出力する混合器と、該混合器に局部発振信号を入力する局部発振器とを備え、前記デジタルテレビジョン信号が所定のビットレートよりもビットレートが低い第一のデジタルテレビジョン信号を受信する場合と、前記デジタルテレビジョン信号が前記所定のビットレートよりもビットレートが高い第二のデジタルテレビジョン信号を受信する場合とでは、前記混合器に入力される前記第一のデジタルテレビジョン信号のレベルと前記第二のデジタルテレビジョン信号のレベルとを異ならせ、前記混合器に入力される前記第一のデジタルテレビジョン信号のレベルを、前記混合器に入力される前記第二のデジタルテレビジョン信号のレベルよりも低くしたことを特徴とするデジタルテレビジョン信号受信チューナー。
【請求項２】
前記受信したデジタルテレビジョン信号のレベルに対応する自動利得制御電圧が印加され、前記受信したデジタルテレビジョン信号のレベルを減衰して前記混合器に入力する第一の可変減衰手段を設け、同一の前記自動利得制御電圧に対し、前記第一のデジタルテレビジョン信号を受信する場合の前記第一の可変減衰手段の減衰量を、前記第二のデジタルテレビジョン信号を受信する場合の前記第一の可変減衰手段の減衰量よりも大きくして、前記混合器に入力される前記第一のデジタルテレビジョン信号のレベルを、前記混合器に入力される前記第二のデジタルテレビジョン信号のレベルよりも低くしたことを特徴とする請求項１記載のデジタルテレビジョン信号受信チューナー。
【請求項３】
前記第一の可変減衰手段は、直列接続された第一の複数のピンダイオードを有し、前記第一の複数のピンダイオードの各々には、前記自動利得制御電圧に基づいて電流が流れ、前記第一のデジタルテレビジョン信号を受信する場合は、前記第一のデジタルテレビジョン信号を前記複数のピンダイオードの全てを通過して前記混合器に入力するようにし、前記第二のデジタルテレビジョン信号を受信する場合は、前記第二のデジタルテレビジョン信号を前記複数のピンダイオードのうちの一部のピンダイオードのみを通過して前記混合器に入力するようにしたことを特徴とする請求項２記載のデジタルテレビジョン信号受信チューナー。
【請求項４】
前記混合器から出力された前記中間周波信号を復調する復調器と、前記受信したデジタルテレビジョン信号のレベルに対応する自動利得制御電圧が印加され、前記混合器から出力された前記中間周波信号を減衰して前記復調器に入力する第二の可変減衰手段とを設け、同一の前記自動利得制御電圧に対し、前記第一のデジタルテレビジョン信号を受信する場合には、前記第二の可変減衰手段の減衰量を、前記第二のデジタルテレビジョン信号を受信する場合の前記第二の可変減衰手段の減衰量よりも小さくし、前記復調器に入力される前記第一のデジタルテレビジョン信号に基づく中間周波信号のレベルと、前記第二のデジタルテレビジョン信号に基づく中間周波信号のレベルとをほぼ同一としたことを特徴とする請求項２または請求項３記載のデジタルテレビジョン信号受信チューナー。
【請求項５】
前記第二の可変減衰手段は、直列接続された第二の複数のピンダイオードを有し、前記第二の複数のピンダイオードの各々には、前記自動利得制御電圧に基づいて電流が流れ、前記第一のデジタルテレビジョン信号を受信する場合は、前記混合器から出力された前記第一のデジタルテレビジョン信号に基づく中間周波信号を前記第二の複数のピンダイオードのうちの一部のピンダイオードのみを通過して前記復調器に入力するようにし、前記第二のデジタルテレビジョン信号を受信する場合は、前記混合器から出力された前記第二のデジタルテレビジョン信号に基づく中間周波信号を前記複数のピンダイオードの全てを通過して前記復調器に入力するようにしたことを特徴とする請求項４記載のデジタルテレビジョン信号受信チューナー。
【発明の詳細な説明】
【０００１】
【発明の属する技術分野】
本発明は、例えばＱＰＳＫ変調等のデジタル変調が施されて、放送衛星から送信されるデジタルテレビジョン信号を受信するデジタルテレビジョン信号受信チューナーに関する。
【０００２】
【従来の技術】
従来のデジタルテレビジョン信号受信チューナーの構成及び動作を図２に従って説明する。まず、屋外のパラボラアンテナ（図示せず）で受信したデジタルテレビジョン信号は、野外に設置されたコンバータ（図示せず）で周波数変換されて、デジタルテレビジョン信号受信チューナーに入力される。
【０００３】
デジタルテレビジョン信号受信チューナーに入力されたデジタルテレビジョン信号は、まず、増幅器２１で増幅された後、可変減衰手段２２を介して混合器２３に入力される。そして、可変減衰手段２２は、その減衰量が、混合器２３に入力されるデジタルテレビジョン信号のレベルがほぼ一定となるように制御される。
【０００４】
混合器２３に入力されたデジタルテレビジョン信号は、局部発振器２４からの局部発振信号と混合されて中間周波信号に周波数変換されて、復調器２５に入力される。
そして、復調器２５では、デジタルテレビジョン信号が復調され、位相の異なる二つのデジタル信号（Ｉ信号、Ｑ信号）が出力され、同時に、自動利得制御電圧（以下、ＡＧＣ電圧という。）ＶＡＧＣが出力される。このＡＧＣ電圧ＶＡＧＣは、受信したデジタルテレビジョン信号のレベルに対応しており、可変減衰手段２２に入力される。
【０００５】
この結果、可変減衰手段２２は、受信したデジタルテレビジョン信号のレベルが大きい場合には、大きく減衰し、デジタルテレビジョン信号のレベルが小さいときには、小さく減衰し結果的に混合器２３に入力されるデジタルテレビジョン信号のレベルが一定になるように制御される。
【０００６】
【発明が解決しようとする課題】
ところで、送信されるデジタルテレビジョン信号には、ビットレートが低い（例えば、ビットレートが４０Ｍｂｐｓ以下）低ビットレートのデジタルテレビジョン信号と、ビットレートが高い（例えば、ビットレートが４０Ｍｂｐｓ以上）高ビットレートのデジタルテレビジョン信号とがある。
そして、送信されてくるデジタルテレビジョン信号が低ビットレートのデジタルテレビジョン信号であるか、または高ビットレートのデジタルテレビジョン信号であるかは、送信側によって決定されている。
【０００７】
低ビットレートのデジタルテレビジョン信号は、同じデータ量のテレビジョン信号を送信する場合には、高ビットレートのデジタルテレビジョン信号の場合に比べて、単位時間当たりに送信されるデータ量が少なくなっている。
また、逆に、高ビットレートのデジタルテレビジョン信号の場合には、低ビットレートのデジタルテレビジョン信号に比べて、単位時間当たりに送信されるデータ量が多くなっている。
【０００８】
従って、低ビットレートのデジタルテレビジョン信号は、高ビットレートのデジタルテレビジョン信号よりも信号帯域が狭くなっている。そのため、混合器２３に入力された場合に、低ビットレートのデジタルテレビジョン信号の入力レベルは同じなので、ピークレベルは高ビットレートのデジタルテレビジョン信号のレベルよりも高くなる。
【０００９】
その結果、低ビットレートのデジタルテレビジョン信号を受信した場合は、混合器２３を介して局部発振器２４に漏れる低ビットレートのデジタルテレビジョン信号のレベルが大きくなり、局部発振信号の周波数が大きく振られてしまい、その結果、局部発振信号の位相雑音が劣化し、ビットエラーを起こす原因となっていた。
【００１０】
本発明は、この問題を解決するためのもので、その目的は、低ビットレートのデジタルテレビジョン信号を受信した場合の局部発振信号の位相雑音の劣化を抑えてビットエラーを防ぐことにある。
【００１１】
【課題を解決するための手段】
上記の問題を解決するために、本発明のデジタルテレビジョン信号受信チューナーは、受信したデジタルテレビジョン信号が入力されるとともに周波数変換して中間周波信号を出力する混合器と、混合器に局部発振信号を入力する局部発振器とを備え、デジタルテレビジョン信号が所定のビットレートよりもビットレートが低い第一のデジタルテレビジョン信号を受信する場合と、デジタルテレビジョン信号が所定のビットレートよりもビットレートが高い第二のデジタルテレビジョン信号を受信する場合とでは、混合器に入力される第一のデジタルテレビジョン信号のレベルと第二のデジタルテレビジョン信号のレベルとを異ならせ、混合器に入力される第一のデジタルテレビジョン信号のレベルを、混合器に入力される第二のデジタルテレビジョン信号のレベルよりも低くした。
【００１２】
また、本発明のデジタルテレビジョン信号受信チューナーは、受信したデジタルテレビジョン信号のレベルに対応する自動利得制御電圧が印加され、受信したデジタルテレビジョン信号のレベルを減衰して混合器に入力する第一の可変減衰手段を設け、同一の自動利得制御電圧に対し、第一のデジタルテレビジョン信号を受信する場合の第一の可変減衰手段の減衰量を、第二のデジタルテレビジョン信号を受信する場合の第一の可変減衰手段の減衰量よりも大きくして、混合器に入力される第一のデジタルテレビジョン信号のレベルを、混合器に入力される第二のデジタルテレビジョン信号のレベルよりも低くした。
【００１３】
また、本発明のデジタルテレビジョン信号受信チューナーは、第一の可変減衰手段は、直列接続された第一の複数のピンダイオードを有し、第一の複数のピンダイオードの各々には、自動利得制御電圧に基づいて電流が流れ、第一のデジタルテレビジョン信号を受信する場合は、第一のデジタルテレビジョン信号を複数のピンダイオードの全てを通過して混合器に入力するようにし、第二のデジタルテレビジョン信号を受信する場合は、第二のデジタルテレビジョン信号を複数のピンダイオードのうちの一部のピンダイオードのみを通過して混合器に入力するようにした。
【００１４】
また、本発明のデジタルテレビジョン信号受信チューナーは、混合器から出力された中間周波信号を復調する復調器と、受信したデジタルテレビジョン信号のレベルに対応する自動利得制御電圧が印加され、混合器から出力された中間周波信号を減衰して復調器に入力する第二の可変減衰手段とを設け、同一の自動利得制御電圧に対し、第一のデジタルテレビジョン信号を受信する場合には、第二の可変減衰手段の減衰量を、第二のデジタルテレビジョン信号を受信する場合の第二の可変減衰手段の減衰量よりも小さくし、復調器に入力される第一のデジタルテレビジョン信号に基づく中間周波信号のレベルと、第二のデジタルテレビジョン信号に基づく中間周波信号のレベルとをほぼ同一とした。
【００１５】
また、本発明のデジタルテレビジョン信号受信チューナーは、第二の可変減衰手段は、直列接続された第二の複数のピンダイオードを有し、第二の複数のピンダイオードの各々には、自動利得制御電圧に基づいて電流が流れ、第一のデジタルテレビジョン信号を受信する場合は、混合器から出力された第一のデジタルテレビジョン信号に基づく中間周波信号を第二の複数のピンダイオードのうちの一部のピンダイオードのみを通過して復調器に入力するようにし、第二のデジタルテレビジョン信号を受信する場合は、混合器から出力された第二のデジタルテレビジョン信号に基づく中間周波信号を複数のピンダイオードの全てを通過して復調器に入力するようにした。
【００１６】
【発明の実施の形態】
本発明のデジタルテレビジョン信号受信チューナーの構成及び動作を図１に従って説明する。まず、屋外のパラボラアンテナ（図示せず）で受信されたデジタルテレビジョン信号は、屋外に設置されたコンバータ（図示せず）で周波数変換されて、デジタルテレビジョン信号受信チューナーに入力される。
【００１７】
ここで、送信されるデジタルテレビジョン信号には、ビットレートが低い（例えば、ビットレートが４０Ｍｂｐｓ以下）低ビットレートのデジタルテレビジョン信号と、ビットレートが高い（例えば、ビットレートが４０Ｍｂｐｓ以上）高ビットレートのデジタルテレビジョン信号とがある。
【００１８】
そして、送信されてくるデジタルテレビジョン信号が低ビットレートのデジタルテレビジョン信号であるか、または高ビットレートのデジタルテレビジョン信号であるかは、送信側によって決定されている。
【００１９】
デジタルテレビジョン信号受信チューナーに入力されたデジタルテレビジョン信号は、まず、増幅器１で増幅された後、第一の可変減衰手段２を介して混合器３に入力される。
【００２０】
第一の可変減衰手段２は、第一、第二及び第三のピンダイオード４、５、６と第一の切替手段７とを有し、第一のピンダイオード４と第二のピンダイオード５とが直列に接続されており、第三のピンダイオード６は第一の切替手段７によって、第二のピンダイオード５に接続されるか、または、接続されないようになっている。
【００２１】
そして、増幅器１で増幅されたデジタルテレビジョン信号は、第一のピンダイオード４に入力され、第三のピンダイオード６が第二のピンダイオード５に接続された場合には、第三のピンダイオード６から出力されて混合器３に入力され、第三のピンダイオード６が第二のピンダイオード５に接続されない場合には、第二のピンダイオード５から出力されて混合器３に入力されるようになっている。
【００２２】
そして、第一、第二及び第三のピンダイオード４、５、６は、ＰＮ接合の向きが同じになるように接続され、復調器８（後述）から出力される自動利得制御電圧（以下、ＡＧＣ電圧という。）ＶＡＧＣが印加されて、その減衰量が制御される。
【００２３】
また、第一の切替手段７は、切替制御部９によって切替制御される。この切替制御部９は、受信したデジタルテレビジョン信号が低ビットレートのデジタルテレビジョン信号である第一のデジタルテレビジョン信号の場合には、第二のピンダイオード５と第三のピンダイオード６とを接続するように第一の切替手段７を切替制御し、受信したデジタルテレビジョン信号が高ビットレートのデジタルテレビジョン信号である第二のデジタルテレビジョン信号の場合には、第二のピンダイオード５と第三のピンダイオード６との接続を解くように第一の切替手段７を切替制御する。
【００２４】
従って、第一のデジタルテレビジョン信号は、第一、第二及び第三のピンダイオード４、５、６を通過することによって、そのレベルが大きく減衰されて混合器３に入力され、第二のデジタルテレビジョン信号は、第一及び第二のピンダイオード４、５のみを通過することによって、そのレベルが小さく減衰されて混合器３に入力される。
【００２５】
そして、混合器３に入力された第一のデジタルテレビジョン信号または第二のデジタルテレビジョン信号は、局部発振器１０からの局部発振信号と混合されて第一のデジタルテレビジョン信号に基づく中間周波信号（以下、第一のＩＦ信号という。）、または第二のデジタルテレビジョン信号に基づく中間周波信号（以下、第二のＩＦ信号という。）に周波数変換されて出力される。
【００２６】
このように、第一のデジタルテレビジョン信号は大きく減衰して混合器３に入力されるので、局部発振器１０に漏れるレベルも小さくなる。
従って、局部発振信号の位相雑音の劣化を抑えることができるので、ビットエラーを防ぐことができる。
【００２７】
そして、混合器３から出力された第一または第二のＩＦ信号は、第二の可変減衰手段１１を介して復調器８（後述）に入力される。
【００２８】
第二の可変減衰手段１１は、第四、第五及び第六のピンダイオード１２と１３と１４と第二の切替手段１５とを有し、第四のピンダイオード１２と第五のピンダイオード１３とが直列に接続されており、第六のピンダイオード１４が切替手段１５によって、第五のピンダイオード１３に接続されるか、または、接続されないようになっている。
【００２９】
そして、混合器３から出力された第一または第二のＩＦ信号は、第四のピンダイオード１２に入力され、第六のピンダイオード１４が第五のピンダイオード１３に接続された場合には、第六のピンダイオード１４から出力されて復調器８に入力され、第六のピンダイオード１４が第五のピンダイオード１３に接続されない場合には、第五のピンダイオード１３から出力されて復調器８に入力されるようになっている。
【００３０】
そして、第四、第五及び第六のピンダイオード１２、１３、１４には、復調器８から出力されるＡＧＣ電圧ＶＡＧＣが印加されて、その減衰量が制御される。
【００３１】
また、第二の切替手段１５は、第一の切替手段７と連動して、切替制御部９によって切替制御される。この切替制御部９は、受信したデジタルテレビジョン信号が第二のデジタルテレビジョン信号の場合には、第五のピンダイオード１３と第六のピンダイオード１４とを接続するように第二の切替手段１５を切替制御し、受信したデジタルテレビジョン信号が第一のデジタルテレビジョン信号である場合には、第五のピンダイオード１３と第六のピンダイオード１４との接続を解くように第二の切替手段１５を切替制御する。
【００３２】
従って、第一のＩＦ信号は、第四及び第五のピンダイオード１２、１３のみを通過することによって、そのレベルは小さく減衰されて復調器８に入力され、第二のＩＦ信号は、第一、第二及び第三のピンダイオード１２、１３、１４を通過することによって、そのレベルが大きく減衰されて復調器８に入力される。
【００３３】
このように、第一のデジタルテレビジョン信号を受信する場合には、第一の可変減衰手段２の減衰量を大きくするとともに第二の可変減衰手段１１の減衰量を小さくし、一方、第二のデジタルテレビジョン信号を受信する場合には、第一の可変減衰手段２の減衰量を小さくするとともに第二の可変減衰手段１１の減衰量を大きくするようにしているので、復調器８に入力される第一のＩＦ信号のレベルと第二のＩＦ信号のレベルとは、ほぼ同じになる。
【００３４】
そして、復調器８に入力された第一のＩＦ信号または第二のＩＦ信号は、復調されてベースバンド信号（Ｉ信号及びＱ信号）が出力される。さらに、復調器８からは、入力されたＩＦ信号のレベルに対応するＡＧＣ電圧ＶＡＧＣが出力され、第一及び第二の可変減衰手段２、１１に供給される。
【００３５】
このように、復調器８に入力される第一のＩＦ信号のレベルと第二のＩＦ信号のレベルとがほぼ同一になるので、復調器８からの出力を一定にすることができる。
【００３６】
【発明の効果】
上記のように、本発明のデジタルテレビジョン信号受信チューナーは、混合器と、混合器に局部発振信号を入力する局部発振器とを備え、第一のデジタルテレビジョン信号を受信する場合と、第二のデジタルテレビジョン信号を受信する場合とでは、混合器に入力される第一のデジタルテレビジョン信号のレベルと第二のデジタルテレビジョン信号のレベルとを異ならせ、混合器に入力される第一のデジタルテレビジョン信号のレベルを、混合器に入力される第二のデジタルテレビジョン信号のレベルよりも低くしたことで、低ビットレートのデジタルテレビジョン信号を受信する場合の局部発振信号の位相雑音の劣化を抑えることができるので、ビットエラーを防ぐことができる。
【００３７】
また、本発明のデジタルテレビジョン信号受信チューナーは、受信したデジタルテレビジョン信号のレベルに対応する自動利得制御電圧が印加され、受信したデジタルテレビジョン信号のレベルを減衰して混合器に入力する第一の可変減衰手段を設け、同一の自動利得制御電圧に対し、第一のデジタルテレビジョン信号を受信する場合の第一の可変減衰手段の減衰量を、第二のデジタルテレビジョン信号を受信する場合の第一の可変減衰手段の減衰量よりも大きくして、混合器に入力される第一のデジタルテレビジョン信号のレベルを、混合器に入力される第二のデジタルテレビジョン信号のレベルよりも低くしたことで、第一の可変減衰手段に供給する自動利得制御電圧が同一であっても、第一の可変減衰手段２のみで第一のデジタルテレビジョン信号を大きく減衰し、第二のデジタルテレビジョン信号を小さく減衰することができる。
【００３８】
また、本発明のデジタルテレビジョン信号受信チューナーは、第一の可変減衰手段は、直列接続された第一の複数のピンダイオードを有し、第一の複数のピンダイオードの各々には、自動利得制御電圧に基づいて電流が流れ、第一のデジタルテレビジョン信号を受信する場合は、第一のデジタルテレビジョン信号を複数のピンダイオードの全てを通過して混合器に入力するようにし、第二のデジタルテレビジョン信号を受信する場合は、第二のデジタルテレビジョン信号を複数のピンダイオードのうちの一部のピンダイオードのみを通過して混合器に入力するようにしたことで、第一または第二のデジタルテレビジョン信号に応じて、受信したデジタルテレビジョン信号が通過するピンダイオードの数を増減して、簡単に減衰量を変えることができる。
【００３９】
また、本発明のデジタルテレビジョン信号受信チューナーは、混合器から出力された中間周波信号を復調する復調器と、受信したデジタルテレビジョン信号のレベルに対応する自動利得制御電圧が印加され、混合器から出力された中間周波信号を減衰して復調器に入力する第二の可変減衰手段とを設け、同一の自動利得制御電圧に対し、第一のデジタルテレビジョン信号を受信する場合には、第二の可変減衰手段の減衰量を、第二のデジタルテレビジョン信号を受信する場合の第二の可変減衰手段の減衰量よりも小さくし、復調器に入力される第一のデジタルテレビジョン信号に基づく中間周波信号のレベルと、第二の中間周波信号に基づく中間周波信号のレベルとをほぼ同一としたことで、復調器８からの出力を一定にすることができる。
【００４０】
また、本発明のデジタルテレビジョン信号受信チューナーは、第二の可変減衰手段は、直列接続された第二の複数のピンダイオードを有し、第二の複数のピンダイオードの各々には、自動利得制御電圧に基づいて電流が流れ、第一のデジタルテレビジョン信号を受信する場合は、混合器から出力された第一のデジタルテレビジョン信号に基づく中間周波信号を第二の複数のピンダイオードのうちの一部のピンダイオードのみを通過して復調器に入力するようにし、第二のデジタルテレビジョン信号を受信する場合は、混合器から出力された第二のデジタルテレビジョン信号に基づく中間周波信号を複数のピンダイオードの全てを通過して混合器に入力するようにしたことで、第一または第二のデジタルテレビジョン信号に応じて、復調器に入力される第一のデジタルテレビジョン信号に基づく第一の中間周波信号及び第二のデジタルテレビジョン信号に基づく第二の中間周波信号が通過するピンダイオードの数を増減して、第一の中間周波信号と第二の中間周波信号のレベルをほぼ同一レベルにすることができ、簡単に減衰量を変えることができる。
【図面の簡単な説明】
【図１】本発明のデジタルテレビジョン信号受信チューナーである。
【図２】従来のデジタルテレビジョン信号受信チューナーである。
【符号の説明】
１  増幅器
２  第一の可変減衰手段
３  混合器
４  第一のピンダイオード
５  第二のピンダイオード
６  第三のピンダイオード
７  第一の切替手段
８  復調器
９  切替制御部
１０  局部発振器
１１  第二の可変減衰手段
１２  第四のピンダイオード
１３  第五のピンダイオード
１４  第六のピンダイオード
１５  第二の切替手段
【図１】
0003570537.tif 000002
【図２】
0003570537.tif 000003